(57)【要約】【課題】感度のバラツキを抑えつつ、コストダウンと分解性及びリサイクル性の向上を図ることができる静電容量タッチスイッチを提供すること。【解決手段】操作部２ａを備える表示板２とプリント基板７上に実装されたセンサパッド８との間に、バックライト用の導光レンズ９を介装して成る静電容量タッチスイッチ１において、前記導光レンズ９の前記センサパッド９に対向する端面（下面）の周囲又は周囲の一部に凸部（リブ９ａ又は突起９ｂ）を突設し、該凸部（リブ９ａ又はリブ９ｂ）を前記プリント基板７に当接させて該導光レンズ９と前記センサパッドとの間に一定のクリアランスδを形成する。【選択図】図２
2015185370.tif 000002
【特許請求の範囲】
【請求項１】
操作部を備える表示板とプリント基板上に実装されたセンサパッドとの間に、バックライト用の導光レンズを介装して成る静電容量タッチスイッチにおいて、
前記導光レンズの前記センサパッドに対向する端面の周囲又は周囲の一部に凸部を突設し、該凸部を前記プリント基板に当接させて該導光レンズと前記センサパッドとの間に一定のクリアランスを形成したことを特徴とする静電容量タッチスイッチ。
【請求項２】
前記凸部を、前記導光レンズの前記センサパッドに対向する端面の周囲に突設されたリブで構成したことを特徴とする請求項１記載の静電容量タッチスイッチ。
【請求項３】
前記凸部を、前記導光レンズの前記センサパッドに対向する端面の周囲の一部に突設された複数の突起で構成したことを特徴とする請求項１記載の静電容量タッチスイッチ。
【発明の詳細な説明】
【技術分野】
【０００１】
本発明は、静電容量の変化によって操作者の指がタッチしたことを検知する静電容量タッチスイッチに関するものである。
【背景技術】
【０００２】
例えば、画像読取装置等のＯＡ機器の操作部には静電容量タッチスイッチが設けられている。この静電容量タッチスイッチは、静電容量の変化によって操作者の指がタッチしたことを検知するものであって、その一例を図４に示す（例えば、特許文献１参照）。
【０００３】
即ち、図４は従来の閃電容量タッチスイッチを備えた操作装置の破断斜視図であり、図示の操作装置１１０には２つの静電容量タッチスイッチ１０１が設けられている。各静電容量タッチスイッチ１０１は、操作部が１０２ａ設けられた表示板１０２を粘着材１０３によってケース１０４に接着するとともに、ネジ１０６によって前記ケース１０４に取り付けられたフレーム１０５上にプリント基板１０７を配置し、該プリント基板１０７上に実装されたセンサパッド１０８と前記表示板１０２との間に、バックライト用の導光レンズ１０９を介装し、該導光レンズ１０９と前記センサパッド１０８とを粘着材１１１によって接着することによって構成されている。
【０００４】
斯かる静電容量タッチスイッチ１０１において、表示板１０２の操作部１０２ａに操作者の指が触れると、指とセンサパッド１０８との間には一種のコンデンサが形成されてその静電容量が変化するため、この静電容量の変化がセンサパッド１０８によって検出されることによって、操作者が表示板１０２の操作部１０２ａにタッチしたことが検知される。
【先行技術文献】
【特許文献】
【０００５】
【特許文献１】特開２０１１−２５７９４４号公報
【発明の概要】
【発明が解決しようとする課題】
【０００６】
ところで、図４に示した従来の静電容量タッチスイッチ１０１においては、センサパッド１０８と材質がＡＢＳ、アクリル、ＰＣ等の導光レンズ１０９との間にクリアランスが発生した場合、そのクリアランスに、導光レンズ１０９の材質よりも誘電率の低い空気層が存在するために当該静電容量タッチスイッチ１０１の感度が低下するとともに、クリアランスの大小によって感度にバラツキが生じるという問題が発生する。
【０００７】
又、導光レンズ１０９とセンサパッド１０８とを粘着材１１１によって接着しているため、コストアップと分解性及びリサイクル性の悪化を招くという問題も発生する。
【０００８】
本発明は上記問題に鑑みてなされたもので、その目的とする処は、感度のバラツキを抑えつつ、コストダウンと分解性及びリサイクル性の向上を図ることができる静電容量タッチスイッチを提供することにある。
【課題を解決するための手段】
【０００９】
上記目的を達成するため、請求項１記載の発明は、操作部を備える表示板とプリント基板上に実装されたセンサパッドとの間に、バックライト用の導光レンズを介装して成る静電容量タッチスイッチにおいて、
前記導光レンズの前記センサパッドに対向する端面の周囲又は周囲の一部に凸部を突設し、該凸部を前記プリント基板に当接させて該導光レンズと前記センサパッドとの間に一定のクリアランスを形成したことを特徴とする。
【００１０】
請求項２記載の発明は、請求項１記載の発明において、前記凸部を、前記導光レンズの前記センサパッドに対向する端面の周囲に突設されたリブで構成したことを特徴とする。
【００１１】
請求項３記載の発明は、請求項１記載の発明において、前記凸部を、前記導光レンズの前記センサパッドに対向する端面の周囲の一部に突設された複数の突起で構成したことを特徴とする。
【発明の効果】
【００１２】
本発明によれば、導光レンズとセンサパッドとの間に、導光レンズの端面に突設された凸部（リブや突起）の高さ分の一定のクリアランスが形成されるため、当該静電容量タッチスイッチの感度のバラツキが抑えられる。
【００１３】
又、導光レンズとセンサパッドとを接着する粘着材を用いないため、当該静電容量タッチスイッチのコストダウンと分解性及びリサイクル性の向上が図られる。
【図面の簡単な説明】
【００１４】
【図１】本発明に係る静電容量タッチスイッチを備える操作装置の破断斜視図である。
【図２】図１のＡ部拡大詳細図である。
【図３】（ａ），（ｂ）は本発明に係る静電容量タッチスイッチの導光レンズの底面側斜視図である。
【図４】従来の静電容量タッチスイッチを備える操作装置の破断斜視図である。
【発明を実施するための形態】
【００１５】
以下に本発明の実施の形態を添付図面に基づいて説明する。
【００１６】
図１は本発明に係る静電容量タッチスイッチを備える操作装置の破断斜視図、図２は図１のＡ部拡大詳細図、図３（ａ），（ｂ）は同静電容量タッチスイッチの導光レンズの底面側斜視図であり、図１に示す操作装置１０は、例えば画像読取装置に設けられるものであって、これには本発明に係る静電容量タッチスイッチ１が２つ設けられている。
【００１７】
各静電容量タッチスイッチ１は、表示板２に設けられた操作部２ａに操作者の指が触れることによる静電容量の変化を検出することによって、操作者が表示板２の操作部２ａをタッチしたことを検知するものであって、表示板２は、粘着材３によってケース４に接着されている。そして、ケース４には、その下方に配されたフレーム５が複数本（図１には２本のみ図示）のネジ６によって取り付けられており、このフレーム５上には平板状のプリント基板７が配置されている。
【００１８】
上記プリント基板７上には、静電容量の変化を検出するセンサパッド８の他、バックライト用のＬＥＤ等の不図示の光源、不図示の信号処理回路等が実装されている。そして、プリント基板７上に実装された前記センサパッド８と前記表示板２との間には、バックライト用の導光レンズ９が介装されている。尚、導光レンズ９は、ＡＢＳ、アクリル、ＰＣ等によって構成されており、前記光源から出射する光を表示板２の操作部２ａへと導いて該操作部２ａを照明する機能を果たす。
【００１９】
而して、本実施の形態においては、図２に詳細に示すように、導光レンズ９の下面（センサパッド８に対向する端面）の周囲には、凸部として図３（ａ）に示すようなリブ９ａが一体に突設されており、このリブ９ａがプリント基板７のセンサパッド８の周囲に当接することによって、該導光レンズ９とセンサパッド８との間には、リブ９ａの高さ分の一定のクリアランスδが形成されている。従って、本実施の形態に係る静電容量タッチスイッチ１においては、導光レンズ９とセンサパッド８とは接触しておらず、両者簡に形成される一定のクリアランスδには空気層が存在している。尚、本実施の形態では、導光レンズ９とセンサパッド８との間に一定のクリアランスδを形成するための凸部として、図３（ａ）に示すようなリブ９ａを導光レンズ９の下面の周囲に一体に突設したが、このリブ９ａに代えて、図３（ｂ）に示すように、導光レンズ９の下面の周囲の一部（相対向する辺上）に複数（図示例では、各３つ）の円柱状突起９ｂを一体に突設しても良い。
【００２０】
以上のように構成された静電容量タッチスイッチ１において、表示板２の操作部２ａに操作者の指が触れると、指とセンサパッド８との間には一種のコンデンサが形成されてその静電容量が変化するため、この静電容量の変化がセンサパッド８によって検知される。すると、センサパッド８に電気的に接続された前記信号処理回路は、センサパッド８によって検出された静電容量の変化をデジタル信号に変換して信号処理し、当該静電容量タッチスイッチ１のスイッチング状態（タッチの有無）をＯＮ／ＯＦＦとして判定する。
【００２１】
以上において、本実施の形態に係る静電容量タッチスイッチ１においては、導光レンズ９とセンサパッド８との間に、導光レンズ９の下面に突設されたリブ９ａの高さ分の一定のクリアランスδが形成されるため、当該静電容量タッチスイッチ１の感度のバラツキが抑えられる。尚、本実施の形態に係る静電容量タッチスイッチ１においては、導光レンズ９とセンサパッド８との間に形成されるクリアランスδに、導光レンズ９の材質よりも誘電率の低い空気層が存在するために感度の低下が懸念されるが、この問題は、表示板２の表面からセンサパッド８までの距離と導光レンズ９の材質の違い（静電容量の違い）に合わせて、センサパッド８の感度設定値の範囲内で最適な感度の設定値を制御ソフトによって決定することによって解決する。
【００２２】
又、本実施の形態に係る静電容量タッチスイッチ１においては、導光レンズ９とセンサパッド８とを接着する粘着材を用いないため、当該静電容量タッチスイッチ１のコストダウンと分解性及びリサイクル性の向上を図ることができるという効果も得られる。
【００２３】
尚、本発明は、携帯電話、車載用操作装置、民生家電、ＯＡ機器等の操作部に設けられる静電容量スイッチに対して適用可能である。
【符号の説明】
【００２４】
１      静電容量タッチスイッチ
２      表示板
２ａ    表示板の操作部
３      粘着材
４      ケース
５      フレーム
６      ネジ
７      プリント基板
８      センサパッド
９      導光レンズ
９ａ    導光レンズのリブ（凸部）
９ｂ    導光レンズの突起（凸部）
１０    操作装置
δ      導光レンズとセンサパッドとのクリアランス
【図１】
2015185370.tif 000003
【図２】
2015185370.tif 000004
【図３】
2015185370.tif 000005
【図４】
2015185370.tif 000006